【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
第１視点の映像信号が符号化された第１符号化信号と、前記第１視点と異なる第２視点の映像信号が符号化された第２符号化信号とを復号する三次元映像復号装置であって、
前記第１符号化信号を復号することにより第１復号信号を生成し、前記第２符号化信号を復号することにより第２復号信号を生成する復号部と、
予め定められたデータ量ごとに、前記第１符号化信号及び前記第２符号化信号にエラーが発生しているか否かを判定するエラー判定部と、
前記エラー判定部により、対応する表示時刻が付与された前記第１符号化信号及び前記第２符号化信号のうち一方の信号にエラーが発生していると判定され、かつ他方の信号にエラーが発生していないと判定された場合、前記エラーが発生していると判定された前記一方の信号のエラーデータ量が第１閾値以上であるか否かを判定する出力判定部と、
前記出力判定部により、前記エラーデータ量が前記第１閾値未満であると判定された場合、前記一方の信号及び前記他方の信号に対応する前記第１復号信号及び前記第２復号信号を共に出力せず、前記出力判定部により、前記エラーデータ量が前記第１閾値以上であると判定された場合、前記他方の信号が復号された前記第１復号信号又は前記第２復号信号のみを出力する出力部とを備える
三次元映像復号装置。
【請求項２】
前記復号部は、前記第１符号化信号を、既に復号した前記第１復号信号を参照して復号し、前記第２符号化信号を、既に復号した前記第１復号信号及び前記第２復号信号を参照して復号し、
前記出力判定部は、さらに、前記エラー判定部により、対応する表示時刻が付与された前記第１符号化信号及び前記第２符号化信号のうち一方の信号にエラーが発生していると判定され、かつ他方の信号にエラーが発生していないと判定された場合、前記一方の信号が前記第１符号化信号であるか前記第２符号化信号であるかを判定し、
前記出力部は、
前記出力判定部により、前記一方の信号が前記第１符号化信号であると判定された場合、前記一方の信号及び前記他方の信号に対応する前記第１復号信号及び前記第２復号信号を共に出力せず、
前記出力判定部により、前記エラーデータ量が前記第１閾値以上であると判定され、かつ、前記出力判定部により、前記一方の信号が前記第２符号化信号であると判定された場合、前記他方の信号が復号された前記第１復号信号のみを出力する
請求項１記載の三次元映像復号装置。
【請求項３】
第１視点の映像信号が符号化された第１符号化信号と、前記第１視点と異なる第２視点の映像信号が符号化された第２符号化信号とを復号する三次元映像復号装置であって、
前記第１符号化信号を、既に復号した前記第１復号信号を参照して復号することにより第１復号信号を生成し、前記第２符号化信号を、既に復号した前記第１復号信号及び前記第２復号信号を参照して復号することにより第２復号信号を生成する復号部と、
前記第１符号化信号及び前記第２符号化信号にエラーが発生しているか否かを判定するエラー判定部と、
前記エラー判定部により、対応する表示時刻が付与された前記第１符号化信号及び前記第２符号化信号のうち一方の信号にエラーが発生していると判定され、かつ他方の信号にエラーが発生していないと判定された場合、前記一方の信号が前記第１符号化信号であるか前記第２符号化信号であるかを判定する出力判定部と、
前記出力判定部により、前記一方の信号が前記第１符号化信号であると判定された場合、前記一方の信号及び前記他方の信号に対応する前記第１復号信号及び前記第２復号信号を共に出力せず、前記出力判定部により、前記一方の信号が前記第２符号化信号であると判定された場合、前記他方の信号が復号された前記第１復号信号のみを出力する出力部とを備える
三次元映像復号装置。
【請求項４】
前記第２符号化信号は、当該第２符号化信号に含まれる符号化ピクチャに対応付けられ、前記第１復号信号に含まれる復号ピクチャの一部の領域である参照エリアを指定する参照領域指定情報を含み、
前記復号部は、前記第２符号化信号に含まれる符号化ピクチャを、当該符号化ピクチャに対応した表示時刻が付与された前記復号ピクチャに含まれる前記参照エリアを参照して復号し、
前記エラー判定部は、前記符号化ピクチャに含まれる複数のスライスごとに、当該スライスにエラーが発生しているか否かを判定し、
前記出力判定部は、前記一方の信号が前記第２符号化信号であると判定した場合、エラーが発生していると判定されたエラースライスが前記参照エリアに含まれるか否かを判定し、
前記出力部は、
前記出力判定部により、前記エラースライスが前記参照エリアに含まれると判定された場合、前記一方の信号及び前記他方の信号に対応する前記第１復号信号及び前記第２復号信号を共に出力せず、
前記出力判定部により、前記エラースライスが前記参照エリアに含まれないと判定された場合、前記他方の信号が復号された前記第１復号信号のみを出力する
請求項２又は３記載の三次元映像復号装置。
【請求項５】
前記第１符号化信号及び前記第２符号化信号のそれぞれは、複数の符号化ピクチャと、当該複数の符号化ピクチャに共通の情報とを含む複数のグループデータを含み、
前記出力判定部は、さらに、
前記エラー判定部によりエラーが発生していると判定されたエラー符号化ピクチャが、当該エラー符号化ピクチャが復号された復号ピクチャが前記復号部による他の符号化ピクチャの復号の際に参照される参照符号化ピクチャであるか、前記復号部による他の符号化ピクチャの復号の際に参照されない非参照符号化ピクチャであるかを判定し、
前記出力部は、
前記エラー判定部により、前記エラー符号化ピクチャが前記参照符号化ピクチャであると判定された場合、当該エラー符号化ピクチャと、当該エラー符号化ピクチャが含まれるグループデータに含まれる当該エラー符号化ピクチャより後の符号化ピクチャとに対応する復号ピクチャを出力せず、
前記エラー判定部により、前記エラー符号化ピクチャが前記非参照符号化ピクチャであると判定された場合、当該エラー符号化ピクチャに対応する復号ピクチャを出力しない
請求項２〜４のいずれか１項に記載の三次元映像復号装置。
【請求項６】
前記出力部は、
前記エラー判定部により、前記エラー符号化ピクチャが前記非参照符号化ピクチャであると判定された場合、前記一方の信号及び前記他方の信号に対応する前記第１復号信号及び前記第２復号信号を共に出力しないと判定し、
前記エラー判定部により、前記エラー符号化ピクチャが前記参照符号化ピクチャであると判定された場合、前記他方の信号が復号された前記第１復号信号又は前記第２復号信号のみを出力すると判定する
請求項５記載の三次元映像復号装置。
【請求項７】
第１視点の映像信号が符号化された第１符号化信号と、前記第１視点と異なる第２視点の映像信号が符号化された第２符号化信号とを復号する三次元映像復号装置であって、
前記第１符号化信号を、当該第１符号化信号に含まれる第１情報を用いて復号することにより第１復号信号を生成し、前記第２符号化信号を、当該第２符号化信号に含まれる第２情報を用いて復号することにより第２復号信号を生成する復号部と、
前記第１情報及び前記第２情報にエラーが発生しているか否かを判定するエラー判定部と、
前記エラー判定部により、対応する表示時刻が付与された前記第１情報及び前記第２情報の一方にエラーが発生していると判定された場合、他方を用いて当該一方を補完する補完部を備え、
前記三次元映像復号装置は、さらに、前記第１視点及び前記第２視点と異なる第３視点の映像信号が符号化された第３符号化信号を復号し、
前記復号部は、
前記第３符号化信号を、当該第３符号化信号に含まれる第３情報を用いて復号することにより第３復号信号を生成し、
前記第３符号化信号を、既に復号した前記第３復号信号を参照して復号し、
前記第１符号化信号及び前記第２符号化信号を、既に復号した前記第１復号信号、前記第２復号信号及び前記第３復号信号を参照して復号し、
前記第１符号化信号は、複数の符号化ピクチャと、当該複数の符号化ピクチャに共通の情報である前記第１情報とを含む複数の第１グループデータを含み、
前記第２符号化信号は、複数の符号化ピクチャと、当該複数の符号化ピクチャに共通の情報である前記第２情報とを含む複数の第２グループデータを含み、
前記第１情報及び前記第２情報は、第１視点の映像信号と第２視点の映像信号と第３視点の映像信号との視点間の関係を示す情報である
三次元映像復号装置。
【請求項８】
前記第１符号化信号は、複数の符号化ピクチャと、当該複数の符号化ピクチャに共通の情報であり、前記第１情報に含まれる第４情報とを含む複数の第１グループデータを含み、
前記第２符号化信号は、複数の符号化ピクチャと、当該複数の符号化ピクチャに共通の情報であり、前記第２情報に含まれる第５情報とを含む複数の第２グループデータを含み、
前記補完部は、
前記エラー判定部により、前記複数の第１グループデータに含まれる一の第１グループデータに含まれる第４情報にエラーが発生していると判定された場合、前記複数の第１グループデータに含まれる他の第１グループデータに含まれる第４情報を用いて、当該一の第１グループデータに含まれる第４情報を補完し、
前記エラー判定部により、前記複数の第２グループデータに含まれる一の第２グループデータに含まれる第５情報にエラーが発生していると判定された場合、前記複数の第２グループデータに含まれる他の第２グループデータに含まれる第５情報を用いて、当該一の第２グループデータに含まれる第５情報を補完する
請求項７記載の三次元映像復号装置。
【請求項９】
第１視点の映像信号が符号化された第１符号化信号と、前記第１視点と異なる第２視点の映像信号が符号化された第２符号化信号とを復号する三次元映像復号方法であって、
前記第１符号化信号を復号することにより第１復号信号を生成し、前記第２符号化信号を復号することにより第２復号信号を生成する復号ステップと、
予め定められたデータ量ごとに、前記第１符号化信号及び前記第２符号化信号にエラーが発生しているか否かを判定するエラー判定ステップと、
前記エラー判定ステップにより、対応する表示時刻が付与された前記第１符号化信号及び前記第２符号化信号のうち一方の信号にエラーが発生していると判定され、かつ他方の信号にエラーが発生していないと判定された場合、前記エラーが発生していると判定された前記一方の信号のエラーデータ量が第１閾値以上であるか否かを判定する出力判定ステップと、
前記出力判定ステップにより、前記エラーデータ量が前記第１閾値未満であると判定された場合、前記一方の信号及び前記他方の信号に対応する前記第１復号信号及び前記第２復号信号を共に出力せず、前記出力判定ステップにより、前記エラーデータ量が前記第１閾値以上であると判定された場合、前記他方の信号が復号された前記第１復号信号又は前記第２復号信号のみを出力する出力ステップとを含む
三次元映像復号方法。
【請求項１０】
第１視点の映像信号が符号化された第１符号化信号と、前記第１視点と異なる第２視点の映像信号が符号化された第２符号化信号とを復号する三次元映像復号方法であって、
前記第１符号化信号を、既に復号した前記第１復号信号を参照して復号することにより第１復号信号を生成し、前記第２符号化信号を、既に復号した前記第１復号信号及び前記第２復号信号を参照して復号することにより第２復号信号を生成する復号ステップと、
前記第１符号化信号及び前記第２符号化信号にエラーが発生しているか否かを判定するエラー判定ステップと、
前記エラー判定ステップにより、対応する表示時刻が付与された前記第１符号化信号及び前記第２符号化信号のうち一方の信号にエラーが発生していると判定され、かつ他方の信号にエラーが発生していないと判定された場合、前記一方の信号が前記第１符号化信号であるか前記第２符号化信号であるかを判定する出力判定ステップと、
前記出力判定ステップにより、前記一方の信号が前記第１符号化信号であると判定された場合、前記一方の信号及び前記他方の信号に対応する前記第１復号信号及び前記第２復号信号を共に出力せず、前記出力判定ステップにより、前記一方の信号が前記第２符号化信号であると判定された場合、前記他方の信号が復号された前記第１復号信号のみを出力する出力ステップとを含む
三次元映像復号方法。
【請求項１１】
第１視点の映像信号が符号化された第１符号化信号と、前記第１視点と異なる第２視点の映像信号が符号化された第２符号化信号とを復号する三次元映像復号方法であって、
前記第１符号化信号を、当該第１符号化信号に含まれる第１情報を用いて復号することにより第１復号信号を生成し、前記第２符号化信号を、当該第２符号化信号に含まれる第２情報を用いて復号することにより第２復号信号を生成する復号ステップと、
前記第１情報及び前記第２情報にエラーが発生しているか否かを判定するエラー判定ステップと、
前記エラー判定ステップにより、対応する表示時刻が付与された前記第１情報及び前記第２情報の一方にエラーが発生していると判定された場合、他方を用いて当該一方を補完する補完ステップを含み、
前記三次元映像復号方法は、さらに、前記第１視点及び前記第２視点と異なる第３視点の映像信号が符号化された第３符号化信号を復号し、
前記復号ステップでは、
前記第３符号化信号を、当該第３符号化信号に含まれる第３情報を用いて復号することにより第３復号信号を生成し、
前記第３符号化信号を、既に復号した前記第３復号信号を参照して復号し、
前記第１符号化信号及び前記第２符号化信号を、既に復号した前記第１復号信号、前記第２復号信号及び前記第３復号信号を参照して復号し、
前記第１符号化信号は、複数の符号化ピクチャと、当該複数の符号化ピクチャに共通の情報である前記第１情報とを含む複数の第１グループデータを含み、
前記第２符号化信号は、複数の符号化ピクチャと、当該複数の符号化ピクチャに共通の情報である前記第２情報とを含む複数の第２グループデータを含み、
前記第１情報及び前記第２情報は、第１視点の映像信号と第２視点の映像信号と第３視点の映像信号との視点間の関係を示す情報である
三次元映像復号方法。